(57)【特許請求の範囲】
【請求項１】
取り付け相手本体が実装された基板が内部に固定されたる取り付け相手の外ケースに取り付けられ、前記外ケース内に固定された基板とワイヤハーネスを外ケース外でコネクタ接続するためのコネクタであって、
略中央内部に内設された隔壁と、該隔壁を挟んだ両側にそれぞれ形成されたフード状の端子導出部と、外側中間部に一体に形成された取り付け部とを有し、前記端子導出部一方が前記外ケースの一側壁に突出して開口形成された嵌合部を介して前記外ケース内に挿入されて前記取り付け部により前記外ケースに取り付けられるコネクタハウジングと、
前記隔壁に中間部が保持され、前記一方の端子導出部内に突出するバネ性のある接点部と前記他方の端子導出部内に突出するタブ状の接触部とをそれぞれ有する複数の端子とを備え、
前記取り付け部は、前記コネクタハウジングの外側中間部に周設され前記一方の端子導出部を前記嵌合部に挿入したときその開口縁に当接される第１のフランジと、該第１のフランジに隣接して前記第１のフランジよりも小さな突出量で周設された第２のフランジと、前記一方の端子導出部の方向に前記第２のフランジに連続するように形成され、かつ、前記一方の端子導出部の中間部に位置する先端に係止突起が形成された可撓性を有するロックアームと、前記第１のフランジと前記第２のフランジの間に後付された防水性を有するシール部材とを有し、
前記一方の端子導出部は、前記取り付け相手本体と導通され前記外ケース内部に固定した基板に対して直交方向に突出された複数の外部端子が、前記一方の端子導出部を区画形成している壁を横切って挿入されるように形成された孔又はスリットを有し、
前記コネクタハウジングは、前記第１のフランジが前記外ケースの嵌合部の開口縁に当接された状態で前記ロックアームの先端の係止突起が前記外ケースの内側に係合されて前記外ケースに取り付けられ、
前記一方の端子導出部内の前記複数の端子の前記接点部は、前記孔又はスリットを通じて挿入された前記外部端子の先端と接触されてバネ変形される
ことを特徴とするコネクタ。
【請求項２】
請求項１に記載のコネクタにおいて、
前記接点部を、前記孔又は前記スリットに向けて湾曲形成したことを特徴とするコネクタ。
【請求項３】
請求項１又は２記載のコネクタにおいて、前記壁の外面を、前記基板を置くための台として形成したことを特徴とするコネクタ。
【発明の詳細な説明】
【０００１】
【発明の属する技術分野】
本発明は、取り付け相手に取り付けられてその内外の接続が可能となるコネクタに関する。
【０００２】
【従来の技術】
図６は、外ケース１内にＣＣＤカメラ本体２を収容したＣＣＤカメラを図示している。
ＣＣＤカメラの構成について簡単に説明すると、外ケース１の一側壁３には、貫通孔４が形成されており、そこに接続用のワイヤハーネス５が内外にわたって挿し通されている。ワイヤハーネス５は、外ケース１の外側の端末にwire to wireのコネクタ６を有しており、その反対側の端末には、wire to board のコネクタ７が設けられている。貫通孔４には、外ケース１の内外を水密にするためのシール処理が施されている。ＣＣＤカメラ本体２は、基板８に実装されており、外ケース１内の所定位置にねじ止め固定されるようになっている。基板８には、コネクタ７の接続先となる基板用コネクタ９が設けられている。尚、引用符号１０は、外ケース１の開口縁部に嵌合する保護カバーを示している。
【０００３】
上記構成において、ＣＣＤカメラの組み立ては、先ず外ケース１の一側壁３にワイヤハーネス５を挿し通す作業が行われる。次に、外ケース１内でコネクタ７を基板用コネクタ９に接続し基板８を外ケース１内の所定位置にねじ止め固定する作業が行われる。そして最後に、保護カバー１０を外ケース１の開口縁部に装着する作業が行われて組み立てが完了する。
【０００４】
【発明が解決しようとする課題】
ところで上記従来技術にあっては、コスト及びスペースの関係から、外ケース１内に配索されるワイヤハーネス５を極力短くしなければならなかった。そのため、手作業でのコネクタ７と基板用コネクタ９との接続が難しくなり、且つ面倒なものになってしまい、作業効率に影響を来してしまっていた。
【０００５】
本発明は、上述した事情に鑑みてなされるもので、作業効率を向上させるためのコネクタを提供することを課題とする。
【０００６】
【課題を解決するための手段】
上記課題を解決するためなされた請求項１記載の本発明のコネクタは、取り付け相手本体が実装された基板が内部に固定されたる取り付け相手の外ケースに取り付けられ、前記外ケース内に固定された基板とワイヤハーネスを外ケース外でコネクタ接続するためのコネクタであって、略中央内部に内設された隔壁と、該隔壁を挟んだ両側にそれぞれ形成されたフード状の端子導出部と、外側中間部に一体に形成された取り付け部とを有し、前記端子導出部の一方が前記外ケースの一側壁に突出して開口形成された嵌合部を介して前記外ケース内に挿入されて前記取り付け部により前記外ケースに取り付けられるコネクタハウジングと、前記隔壁に中間部が保持され、前記一方の端子導出部内に突出するバネ性のある接点部と前記他方の端子導出部内に突出するタブ状の接触部とをそれぞれ有する複数の端子とを備え、前記取り付け部は、前記コネクタハウジングの外側中間部に周設され前記一方の端子導出部を前記嵌合部に挿入したときその開口縁に当接される第１のフランジと、該第１のフランジに隣接して前記第１のフランジよりも小さな突出量で周設された第２のフランジと、前記一方の端子導出部の方向に前記第２のフランジに連続するように形成され、かつ、前記一方の端子導出部の中間部に位置する先端に係止突起が形成された可撓性を有するロックアームと、前記第１のフランジと前記第２のフランジの間に後付された防水性を有するシール部材とを有し、前記一方の端子導出部は、前記取り付け相手本体と導通され前記外ケース内部に固定した基板に対して直交方向に突出された複数の外部端子が、前記一方の端子導出部を区画形成している壁を横切って挿入されるように形成された孔又はスリットを有し、前記コネクタハウジングは、前記第１のフランジが前記外ケースの嵌合部の開口縁に当接された状態で前記ロックアームの先端の係止突起が前記外ケースの内側に係合されて前記外ケースに取り付けられ、前記一方の端子導出部内の前記複数の端子の前記接点部は、前記孔又はスリットを通じて挿入された前記外部端子の先端と接触されてバネ変形されることを特徴とする。
【０００７】
請求項２記載の本発明のコネクタは、請求項１に記載のコネクタにおいて、前記接点部を、前記孔又は前記スリットに向けて湾曲形成したことを特徴としている。
【００１０】
請求項３記載の本発明のコネクタは、請求項１記載のコネクタにおいて、前記外部端子は基板に設けられ、前記壁の外面を、前記基板を置くための台として形成したことを特徴としている。
【００１１】
請求項１に記載された本発明によれば、コネクタは、取り付け相手本体が実装された基板が内部に固定されたる取り付け相手の外ケースに取り付けられ、前記外ケース内に固定された基板とワイヤハーネスを外ケース外でコネクタ接続するためのものであり、コネクタハウジングと複数の端子とを備える。コネクタハウジングは、略中央内部に内設された隔壁と、該隔壁を挟んだ両側にそれぞれ形成されたフード状の端子導出部と、外側中間部に一体に形成された取り付け部とを有し、端子導出部の一方が外ケースの一側壁に突出して開口形成された嵌合部を介して外ケース内に挿入されて取り付け部により外ケースに取り付けられる。
複数の端子は、コネクタハウジングの隔壁に中間部が保持され、一方の端子導出部内に突出するバネ性のある接点部と他方の端子導出部内に突出するタブ状の接触部とをそれぞれ有する。
コネクタハウジングの取り付け部は、コネクタハウジングの外側中間部に周設され一方の端子導出部を嵌合部に挿入したときその開口縁に当接される第１のフランジと、該第１のフランジに隣接して第１のフランジよりも小さな突出量で周設された第２のフランジと、一方の端子導出部の方向に第２のフランジに連続するように形成され、かつ、一方の端子導出部の中間部に位置する先端に係止突起が形成された可撓性を有するロックアームと、第１のフランジと第２のフランジの間に後付された防水性を有するシール部材とを有する。
一方の端子導出部は、取り付け相手本体と導通され外ケース内部に固定した基板に対して直交方向に突出された複数の外部端子が、一方の端子導出部を区画形成している壁を横切って挿入されるように形成された孔又はスリットを有する。
コネクタハウジングは、第１のフランジが外ケースの嵌合部の開口縁に当接された状態でロックアームの先端の係止突起が外ケースの内側に係合されて外ケースに取り付けられ、一方の端子導出部内の複数の端子の接点部は、孔又はスリットを通じて挿入された外部端子の先端と接触されてバネ変形される。
したがって、コネクタを取り付け相手の外ケースに取り付けた後、コネクタハウジングの一方の端子導出部に形成した孔又はスリットに、取り付け相手本体が実装された基板に設けられる外部端子を挿通させると、取り付け相手の外ケース内での接続が完了する。
取り付け相手の外ケース側で従来のようなワイヤハーネスの配索は不要である。コネクタの端子の接点部はバネ性を有することから、孔又はスリットに挿通され接触する外部端子との接続は確実に行われる。外部端子を取り付け相手の組み立ての最中に孔又はスリットに挿通できるように配設すれば、接続に係る作業は一層簡略化される。コネクタハウジングの取り付け部に、防水性を有するシール部材を設けていることから、コネクタを外ケースに水密に取り付けることが可能になる。
尚、取り付け相手の外ケース外側では、他方の端子導出部を介してワイヤハーネスをコネクタ接続を行えばよい。
【００１２】
請求項２に記載された本発明によれば、端子の接点部を、一方の端子導出部に形成した孔又はスリットに向けて湾曲形成していることから、外部端子との接触性がよくなる。
【００１５】
請求項３に記載された本発明によれば、壁の外面を、基板を置くための台として形成していることから、基板の取り付けが容易になるとともに、基板の安定性を確保することが可能になる。
【００１６】
【発明の実施の形態】
以下、図面を参照して本発明の一実施の形態を説明する。
図１は本発明のコネクタの一実施の形態を示す外観斜視図である。また、図２は図１のＡ−Ａ線断面図、図３は図２のＢ−Ｂ線断面図を示している。
【００１７】
図１ないし図３いずれかにおいて、引用符号２１で示されるコネクタは、合成樹脂製のコネクタハウジング２２と、コネクタハウジング２２に装着される複数の端子２３とを備えて構成されている。また、コネクタ２１は、中継用のコネクタとして構成されている。
尚、端子２３は、本形態において三つ備えられているものとする（その数に限られるものではない）。また、コネクタハウジング２２には、既知のＯリング２４が取り付けられているものとする（Ｏリング２４は特許請求の範囲に記載したシール部材に相当する。パッキンを用いてもよいものとする。コネクタ２１を防水コネクタとして位置付けすることもできる）。
【００１８】
上記コネクタハウジング２２には、その略中央内部に隔壁２５が内設されており、隔壁２５を挟んだ前後両側には、それぞれ端子導出部２６、２７が形成されている（前後の方向は図１を正規に見た場合、手前側を前とする。端子導出部２６は特許請求の範囲に記載した他方の端子導出部に、また、端子導出部２７は特許請求の範囲に記載した一方の端子導出部に相当するものとする）。また、コネクタハウジング２２の外側中間には、上記Ｏリング２４を後付することが可能な取り付け部２８が一体に形成されている。
【００１９】
隔壁２５は、上記端子２３を保持するために他よりも厚肉に形成されている。また、隔壁２５には、上記端子２３に対する端子挿通孔２９が等ピッチで三つ穿設されている（端子２３をインサート成形した場合にはこの限りでない）。
【００２０】
前方の端子導出部２６は、断面視の外形が略小判形となるフード状に形成されている。また、端子導出部２６の外側には、係止用の突起３０と、一対の案内用のリブ３１、３１とが形成されている。突起３０は、端子導出部２６を区画形成する壁の中間に突出形成されており、リブ３１、３１は、コネクタハウジング２２の軸方向（上記前後の方向に一致）に沿って端子導出部２６の両サイドに一体に形成されている。
【００２１】
後方の端子導出部２７は、前方の端子導出部２６よりも若干窄まっており、断面視の外形が矩形となるフード状に形成されている。また、端子導出部２７を区画形成する一壁３２には、三つの貫通する孔３３が穿設されている。孔３３は、上記端子２３の位置にあわせて形成されている。一壁３２は、平坦に形成されている。一壁３２は、特許請求の範囲に記載した一つの壁に相当するものとする。
【００２２】
尚、孔３３は本形態において丸形に形成されているが、例えば矩形であってもよいものとする。ただ、孔３３に挿通される後述の外部端子４８（図４参照）がスムーズに案内されれることが好ましい。また、孔３３に代えてスリットを形成してもよいものとする。
端子導出部２６及び２７の開放端からは、上記端子２３の各端部が突出しないものとする。
【００２３】
取り付け部２８は、上記Ｏリング２４を後付できるように形成したフランジ３４及び３５と、取り付け相手に係合する一対のロックアーム３６、３６とを備えて構成されている。第１のフランジとしてのフランジ３４は、本形態において端子導出部２６の外形にあわせて略小判形に突出するようにコネクタハウジング２２の外周に周設されている。また、第２のフランジとしてのフランジ３５は、フランジ３４よりも若干突出量が少なく形成されている。フランジ３４及び３５の各肉厚は、Ｏリング２４を後付した際に変形が生じない程度の厚みをもって形成されている。
【００２４】
ロックアーム３６、３６は、可撓性を有するとともに、フランジ３５に連続するように形成されている。また、コネクタハウジング２２の上記軸方向に沿って形成されている。ロックアーム３６、３６の各先端は、端子導出部２７の中間に位置するように形成されている。ロックアーム３６、３６は、後述の外部端子４８（図４参照）との接続の妨げにならない位置に形成されている。ロックアーム３６、３６の各先端には、外側へ突出する爪状の係止突起３７、３７が形成されている。係止突起３７、３７はテーパを有し、取り付け相手の形状に合わせて適宜形成されるものとする。
【００２５】
上記端子２３は、導電性を有する金属板をプレス加工することにより製造されており、タブ状の接触部３８とこれに連成される接点部３９とで構成されている。言い換えれば、端子２３の中間を挟んで一方側が接触部３８、他方側が接点部３９として構成されている。
【００２６】
接触部３８は、端子挿通孔２９に挿通されてその先端が端子導出部２６内に導出されている。また、接点部３９は、端子導出部２７内に導出されている。接点部３９は、バネ性を有しており、その先端が孔３３に近づくように湾曲形成されている（後述の外部端子４８（図４参照）に対して接触性がよくなる）。
【００２７】
本形態において、接点部３９同士のピッチは、接触部３８同士のピッチよりも狭く形成されている。接点部３９同士のピッチは、広げることも当然に可能である（ピッチを狭くした場合にはコネクタの小型化を図ることができる）。接点部３９同士のピッチは、後述の外部端子４８（図４参照）のピッチにあわせて形成されるものとする。また、端子２３には、隔壁２５に係合する一対の係止突起（不図示）が形成されている。
【００２８】
上記構成において、コネクタ２１は、コネクタハウジング２２に対して各端子２３をその接点部３９が端子導出部２７の孔３３に近づく向きに装着して組み立てられる。また、コネクタ２１は、図４に示される如く、例えばＣＣＤカメラに取り付けられる。
【００２９】
先ず、ＣＣＤカメラの構成について簡単に説明する。
図４において、ＣＣＤカメラは、ＣＣＤカメラ本体４１を収容する外ケース４２を有している。外ケース４２は、開放部を有する有底の箱状に形成されており、その一側壁４３には、コネクタ２１に対する嵌合部４４が形成されている。また、外ケース４２内には、取り付け用のフランジ４５が適宜位置に複数形成されている（一つのみ図示）。外ケース４２の開放部には、保護カバー４６が適宜手段で装着固定されるようになっている。
【００３０】
嵌合部４４は、コネクタ２１を差し込み固定できるように開口形成されるとともに、一側壁４３から突出するような枠状に形成されている。その突出量は、コネクタ２１のフランジ３４からロックアーム３６（図５参照、以下同様）の係止突起３７（図５参照、以下同様）までの長さに略一致するように形成されている。
【００３１】
ＣＣＤカメラ本体４１は、基板４７上に実装されており、その下側には、ＣＣＤカメラ本体４１に導通する外部端子４８が基板４７に対して直交方向に突出するように複数（本形態においては三つ）配設されている。基板４７は、その外縁部がフランジ４５に載せられ、複数のねじ（不図示）により固定されるようになっている。外部端子４８は、例えば丸ピン状に形成されている。また、コネクタ２１が取り付けられた際に接点部３９を十分に押し付けるだけの長さを有している。
【００３２】
次に、ＣＣＤカメラの組み立てについて説明する。
ＣＣＤカメラを組み立てるには、先ず、外ケース４２の嵌合部４４にコネクタ２１を取り付ける作業を行う。この時、コネクタ２１は、嵌合部４４を介して端子導出部２７から外ケース４２内へ挿し込まれるようになる。差し込みの最中に、嵌合部４４の開口縁にロックアーム３６、３６の係止突起３７、３７が当接するが、ロックアーム３６、３６は内側へ撓みコネクタ２１の差し込みは許容される。嵌合部４４の開口縁にコネクタ２１のフランジ３４が当接すると、コネクタ２１の差し込みが規制され、これとほぼ同時に、ロックアーム３６、３６の係止突起３７、３７が外ケース４２の内側に係合（図５参照）する。Ｏリング２４は、嵌合部４４により圧縮される（図５参照）。これによりコネクタ２１の取り付けが完了する。コネクタ２１は水密に取り付けられる。
【００３３】
続いて、外ケース４２内にＣＣＤカメラ本体４１を実装した基板４７を固定する作業を行う（外部端子４８は、ＣＣＤカメラ本体４１と同様、予め基板４７の所定位置に配設されているものとする）。基板４７をフランジ４５に置いてねじ止めのための位置合わせをする。この時、外部端子４８は、孔３３を介して端子導出部２７内に挿通され、接点部３９と接触する。接点部３９は、外部端子４８により押し付けられ若干弾性変形する。端子導出部２７の平坦な一壁３２上には、外部端子４８を配設した部分の基板４７が載せられる。基板４７は、安定した状態で配置されることになる。この状態で基板４７をねじ止めして外ケース４２内に固定すると、外部端子４８と端子２３との接続も完了する。外部端子４８は、接点部３９を押し付けた状態で確実に接続される。
【００３４】
そして最後に、外ケース４２の開放部に保護カバー４６を装着固定する作業を行う。保護カバー４６は、適宜手段で固定されるものとする。これにより一連の組み立てに係る作業が完了する。
【００３５】
尚、コネクタ２１の端子導出部２６側には、ワイヤハーネス（不図示）がコネクタ接続されるものとする。
【００３６】
以上、図１ないし図５までを参照しながら説明してきたように、コネクタ２１を取り付け相手（上述ではＣＣＤカメラ。以下同様）に取り付けた後、端子導出部２７の孔３３に外部端子４８を挿通させれば、取り付け相手内での接続が容易に行えるようになる。また、取り付け部２８を介してコネクタ２１を容易に取り付けることができるようになる。
【００３７】
従って、従来より行われていた取り付け相手側でのコネクタ接続（図６参照、コネクタ７と基板用コネクタ９の接続）と、ワイヤハーネス５（図６参照）の配索に係る作業は不要になる。これにより、作業効率が向上するのは言うまでもない。
【００３８】
その他、本発明は本発明の主旨を変えない範囲で種々変更実施可能なことは勿論である。
即ち、上述のコネクタ２１は中継用のコネクタになるので、ＣＣＤカメラに限らず自動車等に搭載される電気接続箱（ジャンクションボックス）等にも取り付けができるものとする。また、Ｏリング２４を取り付けない構成（例えばＯリング２４とフランジ３５を上記構成から除く）にすることも可能である。
【００３９】
【発明の効果】
以上説明したように、請求項１に記載された本発明によれば、コネクタを取り付け相手の外ケースに取り付けた後、コネクタハウジングの一方の端子導出部に形成した孔又はスリットに、取り付け相手本体が実装された基板に設けられる外部端子を挿通させれば、取り付け相手の外ケース内での接続を容易に完了させることができる。他方側の端子導出部を介して例えばワイヤハーネスをコネクタ接続を行えば、取り付け相手の外ケース内外の接続が容易になし得られるようになる。
また、取り付け部を介してコネクタを容易に取り付けできることから、取り付け相手の外ケース内側で従来より行われていたワイヤハーネスの配索に係る作業を省略することができる。コネクタハウジングの取り付け部に、防水性を有するシール部材を設けていることから、コネクタを外ケースに水密に取り付けることが可能になる。
さらに、コネクタの端子の接点部にバネ性をもたせていることから、孔又はスリットに挿通される外部端子を接点部に押しつけるようにすれば確実な接続がなされるようになる。
従って、作業効率が向上するコネクタを提供することができるという効果を奏する。
【００４０】
請求項２に記載された本発明によれば、端子の接点部を、一方の端子導出部に形成した孔又はスリットに向けて湾曲形成していることから、請求項１の効果の他に、外部端子との接触性をよくすることができるという効果を奏する。
【００４３】
請求項３に記載された本発明によれば、外部端子は基板に設けられ、一つの壁の外面を、基板を置くための台として形成していることから、請求項１又は２の効果の他に、基板の取り付けを容易にすることができるという効果を奏する。また、基板の安定性を確保することができるという効果も奏する。
【図面の簡単な説明】
【図１】本発明によるコネクタの一実施の形態を示す外観斜視図である。
【図２】図１のＡ−Ａ線断面図である。
【図３】図２のＢ−Ｂ線断面図である。
【図４】本発明によるコネクタを取り付けたＣＣＤカメラ（取り付け相手）の断面図である。
【図５】取り付け状態を説明するための要部拡大図である。
【図６】従来例のＣＣＤカメラの分解斜視図である。
【符号の説明】
２１  コネクタ
２２  コネクタハウジング
２３  端子
２４  Ｏリング（シール部材）
２５  隔壁
２６  端子導出部（一方の端子導出部）
２７  端子導出部（他方の端子導出部）
２８  取り付け部
２９  端子挿通孔
３２  一壁（一つの壁）
３３  孔
３６  ロックアーム
３８  接触部
３９  接点部
４７  基板
４８  外部端子
【図１】
0003753363.tif 000002
【図２】
0003753363.tif 000003
【図３】
0003753363.tif 000004
【図４】
0003753363.tif 000005
【図５】
0003753363.tif 000006
【図６】
0003753363.tif 000007